(57)【要約】【課題】表面の「しわ」「つれ」の発生などを抑制しつつ、収容物をより安全に運搬することができる手提げ袋を提供する。【解決手段】開口部から収容物を収容する手提げ袋１０は、この開口部を形成する一の側面とこれに対向する側面それぞれに開口部近傍で接続された一対の持ち手１０１を有する。また、持ち手１０１が接続されたそれぞれの側面とは異なる他の一の側面とこれに対向する側面それぞれに、この持ち手が接続された位置よりも相対的に低い位置でその一端が接続された一対の紐状部材１０２を有する。この一対の紐状部材は、それぞれの他端を相互に連結した場合に一対の持ち手とは異なる持ち手となる。【選択図】図１
0003204635.tif 000002
【実用新案登録請求の範囲】
【請求項１】
開口部から収容物を収容する手提げ袋であって、
前記開口部を形成する一の側面とこれに対向する側面それぞれに当該開口部近傍で接続された一対の持ち手と、
前記持ち手が接続されたそれぞれの側面とは異なる他の一の側面とこれに対向する側面それぞれに、当該持ち手が接続された位置よりも相対的に低い位置でその一端が接続された一対の紐状部材と、を有し、
前記一対の紐状部材は、それぞれの他端を相互に連結した場合に前記一対の持ち手とは異なる持ち手となることを特徴とする、
手提げ袋。
【請求項２】
前記紐状部材は、所定の長さを有する紐として一体的に形成され、前記持ち手が配設されたそれぞれの側面とは異なる他の一の側面とこれに対向する側面それぞれに形成された孔部を介してそれぞれの側面から外方に向けてその一部が延出するように配設されており、
前記手提げ袋の内部で前記紐状部材に係止される底板を有し、前記収容物を収容する際には当該収容物が当該底板上に載置されることを特徴とする、
請求項１に記載の手提げ袋。
【請求項３】
前記一対の持ち手を第１の持ち手とし、
前記紐状部材による持ち手を第２の持ち手とし、
前記第１の持ち手、及び、前記第２の持ち手それぞれを同時に使用することができるように構成されたことを特徴とする、
請求項１又は２に記載の手提げ袋。
【請求項４】
前記開口部の近傍に配設された、当該開口部を閉口する絞り紐を有し、
前記絞り紐は、規制部材として前記開口部が開口されている場合には前記紐状部材の可動を規制することを特徴とする、
請求項１、２又は３に記載の手提げ袋。
【請求項５】
前記手提げ袋の底面に、当該底面の形状と相似する形状の一又は複数の折り線が形成されることを特徴とする、
請求項１乃至４いずれか一項に記載の手提げ袋。
【考案の詳細な説明】
【技術分野】
【０００１】
本考案は、開口部から収容物を収容する手提げ袋の構造に関する。
【背景技術】
【０００２】
多くの手提げ袋の基本構造は、袋状の本体開口部近傍に一対の持ち手が固着されており、当該手提げ袋の持ち方（使用態様）も限られる。また、その強度は素材の種類（紙等）、厚みによるところが大きく、手提げ袋に収容する商品（収容物）のサイズ、重さに応じて多種多様なものを用意する必要がある。
【０００３】
例えば、特許文献１に開示されたかばんは、買物の内容量に合わせてかばん本体を持ち手に沿って、上下方向に伸縮させるだけで、自分で簡単にかばんの高さ、大きさまたは形を変えたかばん本体を作り上げることが出来る、というものである。
【０００４】
また、特許文献２に開示された手提げ袋では、持ち手の設置を任意自由にして形態の多様化を実現する手提げ袋が開示されている。
【先行技術文献】
【特許文献】
【０００５】
【特許文献１】特開２００９−１９５６７１号公報
【特許文献１】実用新案登録第３１７６８８５号公報
【考案の概要】
【考案が解決しようとする課題】
【０００６】
しかしながら、手提げ袋には様々な重さの商品等が収容される。特許文献１、２に開示された内容を、例えば広く一般に流通している紙製の手提げ袋、あるいは皮革製のかばんなどに適用した場合には、使用に際して表面に「しわ」「つれ」が生じて手提げ袋の外観が大きく損なわれてしまう、という課題が残る。また、表面の「しわ」「つれ」は、その程度によっては手提げ袋の破損を誘発する恐れがある。
【０００７】
本考案は、表面の「しわ」「つれ」の発生などを抑制しつつ、収容物をより安全に運搬することができる手提げ袋を提供することを、主たる目的とする。
【課題を解決するための手段】
【０００８】
本考案は、開口部から収容物を収容する手提げ袋であって、前記開口部を形成する一の側面とこれに対向する側面それぞれに当該開口部近傍で接続された一対の持ち手と、前記持ち手が接続されたそれぞれの側面とは異なる他の一の側面とこれに対向する側面それぞれに、当該持ち手が接続された位置よりも相対的に低い位置でその一端が接続された一対の紐状部材と、を有し、前記一対の紐状部材は、それぞれの他端を相互に連結した場合に前記一対の持ち手とは異なる持ち手となることを特徴とする。
【考案の効果】
【０００９】
本考案によれば、表面の「しわ」「つれ」の発生などを抑制しつつ、収容物をより安全に運搬することができる手提げ袋を提供することができる。
【図面の簡単な説明】
【００１０】
【図１】本実施形態に係る手提げ袋の構成の一例を説明するための正面図。
【図２】手提げ袋の構成の一例を説明するための側面図。
【図３】図１、２で説明した第２の持ち手の別例を説明するための正面図。
【図４】図１、２で説明した第２の持ち手の別例を説明するための上面図。
【図５】手提げ袋の底面の構成の一例を説明するための図。
【考案を実施するための形態】
【００１１】
以下、図面を参照しながら実施形態を説明する。なお、本考案を例えばユーザが購入した商品を収容して持ち運ぶ（運搬）するための手提げ袋に適用した場合を例に挙げて説明する。また、本考案は手提げ袋に限らずかばんや袋物に適用することもできる。
【００１２】
［実施形態例］
図１は、本実施形態に係る手提げ袋の構成の一例を説明するための正面図である。
図１に示す手提げ袋１０は、例えばユーザが購入した商品（収容物）を本体１００に収容して持ち帰る際に使用される。本体１００は、例えば紙、樹脂、あるいは皮革素材を用いて形成され、矩形底面と開口部、当該開口部を形成する４つの側面を有する有底筒状体に形成される。
【００１３】
手提げ袋１０は、本体１００の開口部側に配設された一対の持ち手１０１（第１の持ち手と称す）を有する。一対の持ち手１０１は、本体１００の開口部を形成する一の側面とこれに対向する側面それぞれに当該開口部近傍で接続される。また、本体１００の両側面それぞれの所定の位置に配設された一対の紐状部材１０２を有する。一対の紐状部材１０２は、持ち手１０１が配設されたそれぞれの側面とは異なる他の一の側面とこれに対向する側面それぞれに、持ち手１０１が接続された位置よりも相対的に低い位置で接続される。
【００１４】
なお、図１に示す持ち手１０１は、所定の幅（例えば、５［ｍｍ］）で形成された紐を折って作られた持ち手の一例である。また、一対の持ち手１０１それぞれは、本体１００内部側に向けて折り畳むことができるように構成される（後述する図２参照）。また、紐状部材１０２は、二本の紐を織り込んで作られた持ち手の一例を示している。紐状部材１０２の詳細は、後述する。
【００１５】
手提げ袋１０は、また、本体１００の開口部近傍に配設された絞り紐（巾着紐）１０３を有する。絞り紐１０３は、当該絞り紐１０３を本体１００の外方に向けて引き絞ることにより当該本体１００の開口部を閉じる閉口手段として機能する。
また、絞り紐１０３は、図１に示すように、紐状部材１０２の一端を本体１００の側面と絞り紐１０３との間に挟むことで当該端部が挟持される。これにより、紐状部材１０２の一端の可動が規制される。このように、絞り紐１０３は、紐状部材１０２の一端の可動を規制する規制部材としても機能する。なお、絞り紐１０３は、紙、樹脂、あるいは皮革素材などを用いて、少なくとも本体１００が開口できる程度の任意の長さのものとして構成することができる。
【００１６】
紐状部材１０２は、その一端が本体１００の側面に係止されており、他の一端は、図１に示すように、本体１００に係止されている端部を支点にして可動自在に構成される。以下、この他の一端を自由端と称す。また、紐状部材１０２は、それぞれの自由端部側を結ぶ（連結する）ことで、ユーザは、持ち手１０１とは異なる持ち手（第２の持ち手）として使用することができる。なお、自由端部側の連結は、両端部を結んだり、あるいは端部それぞれに連結部材（例えば、ホック）を配設して、これを介して端部を相互に接続することができる。
【００１７】
例えば、ユーザが購入した商品が本体１００の高さよりも相対的に高さの低い商品である場合、運搬時の安定性を考慮して絞り紐１０３を介して本体１００の開口部を閉じることがある。この場合、ユーザは持ち手１０１を使用することができなくなる。このような場合、ユーザは、上述したように一対の紐状部材１０２を結んで「持ち手」とし、これを使用することもできる。
なお、紐状部材１０２の長さ方向サイズは、本体１００のサイズ等を考慮した上で第２の持ち手として機能するように任意に設定することができる。また、本体１００と紐状部材１０２との接続は、当該端部を本体１００の側面に固着しても良いし、係止具（例えば、ホック）を介して取り付け、取り外し自在に構成しても良い。また、第１、第２の持ち手は、紙、樹脂、あるいは皮革素材を用いて構成することができる。
【００１８】
図２は、手提げ袋１０の構成の一例を説明するための側面図である。
図２に示すように、本体１００の両側面それぞれには折り目Ａ、Ｂ、Ｃそれぞれが形成される。折り目Ａは、手提げ袋１０の側面の長さ方向中心となる折り目である。折り目Ｂ、Ｃは、それぞれ手提げ袋１０の底面外周の一部となる折り目である。
各折り目は、手提げ袋１０の使用態様に応じて山折り、谷折り共に対応可能に構成することができる。また、手提げ袋１０自体を搬送する際などには、当該手提げ袋１０の各折り目を山折して折り畳む（後述する図５参照）。なお、手提げ袋１０の畳み方はこれに限るものではない。
【００１９】
第１、第２の持ち手それぞれは、本体１００に収容される収容物やユーザの手提げ袋１０の使用態様に応じて第１の持ち手、あるいは第２の持ち手を選択的に、又は同時に使用することができる。例えば、第１、第２の持ち手を同時に使用した場合、収容物の重さがそれぞれの持ち手に分散されるため強度的な問題で使用できなかった素材を使用して手提げ袋１０を形成することが可能になる。また、本体１００に対する第１、第２の持ち手それぞれの接続位置（高さ）が異なり支点の相対的な位置にバラつきが生じるため、運搬時における収容物の安定性をより高めることができる。さらに、収容物の重みは各持ち手を介して本体１００の正面、背面、両側面それぞれに作用するため、各面の表面上に生じる「しわ」「つれ」の偏り、あるいはその発生を軽減することができる。
【００２０】
図３、図４は、図１、２で説明した第２の持ち手の別例を説明するための図である。図３は、本体１００を破線で表わした正面図であり、図４は、上面側（本体１００の開口部側）から見たときの図である。
【００２１】
図１、２に示す第２の持ち手（紐状部材１０２）は一対のものとして形成され、それぞれが本体１００の側面に配設されることに対して、図３、４に示す第の２の持ち手である紐状部材１１２は、所定の長さを有する紐状に一体的に形成される。また、図１、２に示す第２の持ち手は、本体１００と紐状部材１０２が固着、あるいは係止具を介して取り付けられることに対し、図３、４に示す第の２の持ち手である紐状部材１１２は、本体１００の両側面それぞれに形成された孔部１１７（図５参照）を介して当該本体１００の側面から外方にその一部が延出するように取り付けられる。なお、孔部１１７は、本体１００と持ち手１０１の接続位置よりも相対的に低い位置に形成される。
【００２２】
図３に示す紐状部材１１２は、本体１００の側面に形成された孔部１１７を介して非固定的に配設されているため、この外方に延出する部位の長さはユーザの手提げ袋１０の使用態様に応じて調整可能である。また、紐状部材１１２は、外方に延出するそれぞれの端部を結ぶ（連結する）ことで、ユーザは、持ち手１０１とは異なる持ち手（第２の持ち手）として使用することができる。なお、端部の連結は、両端部を結んだり、あるいは端部それぞれに連結部材（例えば、ホック）を配設して、これを介して接続することができる。
また、図３、４に示す第２の持ち手では、本体１００の内部において底板１０５が紐状部材１１２に係止される。以下、紐状部材１１２、底板１１５の詳細について説明する。
【００２３】
底板１１５は、例えば所定の厚みを有する紙を矩形に形成した部材である。また、底板１１５は、本体１００の底面サイズよりも小さいサイズに形成される。つまり、手提げ袋１０を使用する際には、収容物はこの底板１１５の上に載置されることになる。
底板１１５は、また、紐状部材１１２に係止されているため、本体１００内部における当該紐状部材１１２の上下左右それぞれの方向に向けた動きに連動して動くことになる。
【００２４】
例えば、紐状部材１１２を持ち手１０１と共に、あるいは当該紐状部材１１２を単独で使用する場合の手提げ袋１０の底面には、底板１１５上に収容物が載置され、この底板１１５には紐状部材１１２が接続されていることから、手提げ袋１０の底面に直接その収容物の重みが作用しないことになる。つまり、収容物は底板１１５、紐状部材１１２によりいわゆる「ゆりかご」に乗せ置かれているような状態になる。
【００２５】
そのため、第１の持ち手（持ち手１０１）と共に紐状部材１１２を第２の持ち手として使用すること、あるいは第２の持ち手（紐状部材１１２）を単独で使用することで、収容物の重さと運搬時の振動や衝撃により手提げ袋１０の底面が破れてしまうこと（底抜け）などを効果的に防ぐことができる。さらに、手提げ袋１０の底面に直接その収容物の重みが作用しないため、当該収容物を運搬する際に本体１００の表面に生じる「しわ」「つれ」などの発生が抑制される。そのため、使用時においてもその外観が損なわれることなく手提げ袋１０を使用することができる。
なお、底板１１５は、後述する折り線１２０、１２１との関係でそのサイズを規定することができる。以下、この点について図５を用いて詳細に説明する。
【００２６】
図５は、手提げ袋１０の底面の構成の一例を説明するための図である。
なお、図５では、手提げ袋１０の各折り目（Ａ、Ｂ、Ｃ）を山折して当該手提げ袋１０を折り畳んだ状態を表しており、また、第２の持ち手として紐状部材１１２（図３、４参照）、を用いた例を表している。
【００２７】
図５に示すように、手提げ袋１０の底面には、この底面形状と相似する形状の折り線１２０、１２１が形成される。折り線１２０、１２１は、収容物の重みにより外方に向けて山折りに折られる折り目である。なお、図中に示す破線Ｆは、手提げ袋１０の底面の対角線を表している。以下、本体１００に収容物を収容し、当該本体１００を持ちあげた状態（運搬状態）における各折り線、及び、底面の形状変化について説明する。
【００２８】
例えば、折り線１２０、１２１を底面に形成しない一般的な紙製の手提げ袋では、収容物の重みにより底面が外方に膨らみ、底面ではこの膨らみ応じて「ランダムなスジ」が発生してしまう。この「ランダムなスジ」は全体の外観を大きく損なってしまう要因になる。
【００２９】
本実施形態に係る手提げ袋１０において、例えば折り線１２１の縦方向、横方向それぞれの幅よりも底板１１５の縦方向、横方向それぞれの幅が小さく構成されており、且つ、収容物の底面サイズが底板１１５のサイズと同程度かあるいは小さいとする。この場合、当該収容物の重みにより折り線１２１が大きく山折りに折られ、手提げ袋１０の底面外周を基準にして、当該底面の折り線１２１により囲まれる領域が外方に突出することになり、「ランダムなスジ」の発生が抑制される。なお、この場合折り線１２０には変化が生じない。
【００３０】
また、底板１１５の縦方向、横方向それぞれの幅が折り線１２０の縦方向、横方向それぞれの幅よりも小さく、且つ、折り線１２１の縦方向、横方向それぞれの幅よりも大きく構成されているとする。この場合、当該収容物の重みにより折り線１２０が大きく山折りに折られ、手提げ袋１０の底面外周を基準にして、当該底面の折り線１２０により囲まれる領域が外方に突出することになり、「ランダムなスジ」の発生が抑制される。なお、この場合折り線１２１には変化が生じない。
【００３１】
このように、手提げ袋１０の底面が収容物の重みにより段階的に外方に突出するようなすり鉢状の形状になる。その結果、本体１００に対して収容物の位置が安定することになり、運搬時の振動や衝撃の発生要因になる収容物の動き、例えば底面上を収容物がスライドするなどの動きが規制されるため、手提げ袋１０の底面が破れてしまうことなどをより効果的に防ぐことができる。さらに、各折り線を形成しない場合と比べて、「ランダムなスジ」の発生が抑制されるため使用時においてもその外観が損なわれることなく手提げ袋１０を使用することができる。これは第１の持ち手持を単独で使用する場合、あるいは第１、第２の持ち手を同時に使用する場合においても生じる効果である。
【００３２】
また、各折り線は、図５に示すようなそれぞれ閉じた領域となるように形成する他、段階的に外方に突出するようなすり鉢状の形状になれば良く、例えば折り線の各辺の長さ短くするなど任意に調整することができる。
また、図５では折り線１２０、１２１の二つの折り線を形成した場合について説明したが、これに限るものではない。折り線の数、形状等は、手提げ袋１０の底面の形状、底板１１５のサイズや収容物のサイズに応じて任意に設定することができる。
【００３３】
このように、本実施形態に係る手提げ袋１０は、収容する収容物の形状、サイズ、重量などをユーザが勘案してそれぞれの場合に合った持ち方（手提げ袋１０の使用態様）を任意に選択することができる。さらに、本体１００の表面に生じる「しわ」「つれ」などの発生が抑制され、使用時において手提げ袋の外観が損なわれることを防ぐことができる。
また、第２の持ち手により収容物の重さと運搬時の振動や衝撃により手提げ袋１０の底面が破れてしまうことなどを効果的に防ぐことができる。また、手提げ袋１０の底面は、各折り線により段階的に外方に突出するようなすり鉢状の形状になるため、収容物をより安全に運搬することができる。その結果、収容物の意図しない破損などを効果的に防ぎつつ、外観が損なわれることなく手提げ袋１０を使用することができる。
【００３４】
上記説明は、本考案をより具体的に説明するためのものであり、本考案の範囲が、これらの例に限定されるものではない。本考案の要旨を逸脱しない範囲の様々な形態も本考案に含まれ、例えば上述した各実施形態の一部を適宜組み合わせても良い。
【符号の説明】
【００３５】
１０・・・手提げ袋、１００・・・本体、１０１・・・持ち手（第１の持ち手）、１０２、１１２・・・紐状部材（第２の持ち手）、１０３・・・絞り紐、１１５・・・底板、１１７・・・孔部、１２０、１２１・・・折り線、Ａ、Ｂ、Ｃ・・・折り目。
【図１】
0003204635.tif 000003
【図２】
0003204635.tif 000004
【図３】
0003204635.tif 000005
【図４】
0003204635.tif 000006
【図５】
0003204635.tif 000007